(57)【要約】【課題】２色印刷における色補正において効率よく色補正を実施できる画像処理装置を提供する。【解決手段】単色チャートデータ生成部４１２は、単色チャートを用紙に形成するための単色チャートデータを生成し、単色チャート印刷制御部４１４は、画像形成ユニット１４を制御して、単色チャートを用紙に印刷するための処理を行う。単色補正ＬＵＴ生成部４２０は、単色補正ＬＵＴ生成部３３０と同様に、単色チャート測色データ処理部４１６からの単色チャート測色データと、単色目標値記憶部３２０に記憶された単色目標値とから、単色の補正ＬＵＴ（キャリブレーションカーブ）を生成する。【選択図】図８
2014116721.tif 000002
【特許請求の範囲】
【請求項１】
予め定められた２つの色の現像剤を用いて形成され、２つの色それぞれで形成される単色の色見本と、２つの色の現像剤を混合することによって形成される多次色の色見本との少なくとも一方を含む色補正用画像を生成する補正用画像生成手段と、
記録媒体に形成された前記色補正用画像を読み取って得られた測色データから、目標値を生成する目標値生成手段と、
記録媒体に形成された前記色補正用画像を測色して得られた測色データと、前記目標値生成手段によって生成された目標値とに基づいて色補正を行う色補正手段と
を有する画像処理装置。
【請求項２】
前記色補正用画像は、２つの色それぞれについて複数の異なる網点階調の色見本から構成され、
前記目標値生成手段は、色補正用画像を読み取って得られた測色データから、２つの色ごとに、各網点階調について直線に目標値が描かれた目標値曲線を生成する
請求項１に記載の画像処理装置。
【請求項３】
前記補正用画像生成手段は、前記目標値算出手段によって生成された目標値曲線を用いて色補正を行って、多次色の色見本を含む色補正用画像を生成する
請求項２に記載の画像処理装置。
【請求項４】
前記色補正手段は、単色の色見本を測色して得られた測色データと単色の目標値とに基づいて単色の色補正を行い、多次色の色見本を測色して得られた測色データと多次色の目標値とに基づいて多次色の色補正を行う
請求項１に記載の画像処理装置。
【請求項５】
記録媒体に画像を形成する画像形成手段と、
予め定められた２つの色の現像剤を用いて形成され、２つの色それぞれで形成される単色の色見本と、２つの色の現像剤を混合することによって形成される多次色の色見本との少なくとも一方を含む色補正用画像を生成する補正用画像生成手段と、
記録媒体に形成された前記色補正用画像を読み取って得られた測色データから、目標値を生成する目標値生成手段と、
前記画像形成手段によって記録媒体に形成された前記色補正用画像を測色して得られた測色データと、前記目標値生成手段によって生成された目標値とに基づいて色補正を行う色補正手段と
を有する画像形成装置。
【請求項６】
画像を読み取る画像読取装置と、
記録媒体に画像を形成する画像形成装置と、
画像処理装置と
を有し、
前記画像処理装置は、
記録媒体に画像を形成する画像形成手段と、
予め定められた２つの色の現像剤を用いて形成され、２つの色それぞれで形成される単色の色見本と、２つの色の現像剤を混合することによって形成される多次色の色見本との少なくとも一方を含む色補正用画像を生成する補正用画像生成手段と、
記録媒体に形成された前記色補正用画像を読み取って得られた測色データから、目標値を生成する目標値生成手段と、
前記画像形成装置によって記録媒体に形成された前記色補正用画像を前記画像読取装置によって測色して得られた測色データと、前記目標値生成手段によって生成された目標値とに基づいて色補正を行う色補正手段と
を有する
画像処理システム。
【請求項７】
予め定められた２つの色の現像剤を用いて形成され、２つの色それぞれで形成される単色の色見本と、２つの色の現像剤を混合することによって形成される多次色の色見本との少なくとも一方を含む色補正用画像を生成する補正用画像生成ステップと、
記録媒体に形成された前記色補正用画像を読み取って得られた測色データから、目標値を生成する目標値生成ステップと、
記録媒体に形成された前記色補正用画像を測色して得られた測色データと、前記目標値生成ステップで生成された目標値とに基づいて色補正を行う色補正ステップと
をコンピュータに実行させるプログラム。
【発明の詳細な説明】
【技術分野】
【０００１】
本発明は、画像処理装置、画像形成装置、画像処理システムおよびプログラムに関する。
【背景技術】
【０００２】
特許文献１は、印刷ジョブを受信する、特色を用いたＮ色印刷シミュレーションで、近似色シミュレーションが設定されているかを確認し、近似色シミュレーションが設定されているときには、データベースから特色のＬ*ａ*ｂ*値を読出し、このＬ*ａ*ｂ*値に近似するＬ*ａ*ｂ*値の特色を近似色として抽出し、特色を用いたＮ色印刷シミュレーションと、特色に替えて近似色を用いたＮ色印刷シミュレーションを行う画像処理装置を開示する。
【先行技術文献】
【特許文献】
【０００３】
【特許文献１】特開２００５−２１７８９２号公報
【発明の概要】
【発明が解決しようとする課題】
【０００４】
本発明の目的は、２色を混合した色についての色補正において、２色以外の他の色の影響を受けることを防止できる画像処理装置を提供することである。
【課題を解決するための手段】
【０００５】
請求項１にかかる本発明は、予め定められた２つの色の現像剤を用いて形成され、２つの色それぞれで形成される単色の色見本と、２つの色の現像剤を混合することによって形成される多次色の色見本との少なくとも一方を含む色補正用画像を生成する補正用画像生成手段と、記録媒体に形成された前記色補正用画像を読み取って得られた測色データから、目標値を生成する目標値生成手段と、記録媒体に形成された前記色補正用画像を測色して得られた測色データと、前記目標値生成手段によって生成された目標値とに基づいて色補正を行う色補正手段とを有する画像処理装置である。
【０００６】
請求項２にかかる本発明は、前記色補正用画像は、２つの色それぞれについて複数の異なる網点階調の色見本から構成され、前記目標値生成手段は、色補正用画像を読み取って得られた測色データから、２つの色ごとに、各網点階調について直線に目標値が描かれた目標値曲線を生成する請求項１に記載の画像処理装置である。
【０００７】
請求項３にかかる本発明は、前記補正用画像生成手段は、前記目標値算出手段によって生成された目標値曲線を用いて色補正を行って、多次色の色見本を含む色補正用画像を生成する請求項２に記載の画像処理装置である。
【０００８】
請求項４にかかる本発明は、前記色補正手段は、単色の色見本を測色して得られた測色データと単色の目標値とに基づいて単色の色補正を行い、多次色の色見本を測色して得られた測色データと多次色の目標値とに基づいて多次色の色補正を行う請求項１に記載の画像処理装置である。
【０００９】
請求項５にかかる本発明は、記録媒体に画像を形成する画像形成手段と、予め定められた２つの色の現像剤を用いて形成され、２つの色それぞれで形成される単色の色見本と、２つの色の現像剤を混合することによって形成される多次色の色見本との少なくとも一方を含む色補正用画像を生成する補正用画像生成手段と、記録媒体に形成された前記色補正用画像を読み取って得られた測色データから、目標値を生成する目標値生成手段と、前記画像形成手段によって記録媒体に形成された前記色補正用画像を測色して得られた測色データと、前記目標値生成手段によって生成された目標値とに基づいて色補正を行う色補正手段とを有する画像形成装置である。
【００１０】
請求項６にかかる本発明は、画像を読み取る画像読取装置と、記録媒体に画像を形成する画像形成装置と、画像処理装置とを有し、前記画像処理装置は、記録媒体に画像を形成する画像形成手段と、予め定められた２つの色の現像剤を用いて形成され、２つの色それぞれで形成される単色の色見本と、２つの色の現像剤を混合することによって形成される多次色の色見本との少なくとも一方を含む色補正用画像を生成する補正用画像生成手段と、記録媒体に形成された前記色補正用画像を読み取って得られた測色データから、目標値を生成する目標値生成手段と、前記画像形成装置によって記録媒体に形成された前記色補正用画像を前記画像読取装置によって測色して得られた測色データと、前記目標値生成手段によって生成された目標値とに基づいて色補正を行う色補正手段とを有する画像処理システムである。
【００１１】
請求項７にかかる本発明は、予め定められた２つの色の現像剤を用いて形成され、２つの色それぞれで形成される単色の色見本と、２つの色の現像剤を混合することによって形成される多次色の色見本との少なくとも一方を含む色補正用画像を生成する補正用画像生成ステップと、記録媒体に形成された前記色補正用画像を読み取って得られた測色データから、目標値を生成する目標値生成ステップと、記録媒体に形成された前記色補正用画像を測色して得られた測色データと、前記目標値生成ステップで生成された目標値とに基づいて色補正を行う色補正ステップとをコンピュータに実行させるプログラムである。
【発明の効果】
【００１２】
請求項１に係る本発明によれば、２色を混合した色についての色補正において、２色以外の他の色の影響を受けることを防止できる画像処理装置を提供できる。
【００１３】
請求項２に係る本発明によれば、請求項１に係る本発明により得られる効果に加えて、本構成を有しない場合と比較して、階調が滑らかな色補正を実施できる。
【００１４】
請求項３に係る本発明によれば、請求項２に係る本発明により得られる効果に加えて、本構成を有しない場合と比較して、多次色について精度よく色補正を実施できる。
【００１５】
請求項４に係る本発明によれば、請求項１に係る本発明により得られる効果に加えて、単色の色補正と多次色の色補正との２段階で色補正を実施できる。
【００１６】
請求項５に係る本発明によれば、２色を混合した色についての色補正において、２色以外の他の色の影響を受けることを防止できる画像形成装置を提供できる。
【００１７】
請求項６に係る本発明によれば、２色を混合した色についての色補正において、２色以外の他の色の影響を受けることを防止できる画像処理システムを提供できる。
【００１８】
請求項７に係る本発明によれば、２色を混合した色についての色補正において、２色以外の他の色の影響を受けることを防止できるプログラムを提供できる。
【図面の簡単な説明】
【００１９】
【図１】画像形成装置の構成を例示する図である。
【図２】画像処理装置のハードウェア構成を示す図である。
【図３】画像処理装置により実行される目標値生成プログラムを示すブロック・ダイアグラムである。
【図４】キャリブレーションチャートを例示する図である。
【図５】単色及び多次色について説明するための図である。
【図６】単色目標値を説明するための図である。
【図７】補正ＬＵＴを生成する方法を説明するための図である。
【図８】画像処理装置により実行される画像処理プログラムを示すブロック・ダイアグラムである。
【図９】画像処理システムを示す図である。
【発明を実施するための形態】
【００２０】
まず、画像形成装置１０の構成を説明する。
図１は、タンデム型の画像形成装置１０の構成を例示する図である。
図１に示すように、画像形成装置１０は、画像処理装置２、通信装置１３、画像形成ユニット１４、中間転写ベルト１６、用紙トレイ１７、用紙搬送路１８、及び定着器１９を有する。
なお、本例の画像形成装置１０は、ネットワークを介して接続されたコンピュータ端末から受信した画像データを印刷するプリンタ機能のみを有するが、これに限定されるものではなく、スキャナとしての機能、複写機としての機能、及び、ファクシミリとしての機能をさらに有してもよい。
【００２１】
まず、画像形成装置１０の概略を説明すると、画像形成装置１０の上部には、画像処理装置２、画像読取ユニット１２及び通信装置１３が配設されている。
画像処理装置２は、演算装置、メモリ、及びＡＳＩＣなどが設けられたコントローラであり、画像形成装置１０の他の構成を制御する。通信装置１３は、ネットワークを介して、コンピュータ端末と通信を行う。
【００２２】
画像読取ユニット１２は、原稿を載せるプラテンガラス１２４と、この原稿をプラテンガラス１２４上に押圧するプラテンカバー１２２と、プラテンガラス１２４上に載置された原稿の画像を読み取る画像読取装置１３０とを有する。または、用紙搬送路上に画像読み取りユニットが固定され、その上を原稿の画像が通過する際に読み取りを行うセンサーを有しても良い。この画像読取装置１３０は、プラテンガラス１２４上に載置された原稿を光源１３２によって照明し、原稿からの反射光像を、フルレートミラー１３４、第１のハーフレートミラー１３５、第２のハーフレートミラー１３６及び結像レンズ１３７からなる縮小光学系を介して、ＣＣＤ等からなる画像読取素子１３８上に走査露光して、この画像読取素子１３８によって原稿の色材反射光像を予め定められたドット密度（例えば、１６ドット／ｍｍ）で読み取るように構成されている。
【００２３】
画像処理装置２は、画像読取ユニット１２により読み取られた画像データ又はコンピュータ端末から受信した画像データに対して、シェーディング補正、原稿の位置ズレ補正、ガンマ補正、枠消し、色／移動編集等の予め定められた画像処理を施す。
なお、本例において、画像読取ユニット１２により読み取られた原稿の色材反射光像は、例えば、赤（Ｒ）、緑（Ｇ）、青（Ｂ）の３色の原稿反射率データであり、画像処理装置２による画像処理によって、イエロー（Ｙ）、マゼンタ（Ｍ）、シアン（Ｃ）、黒（Ｋ）の４色の原稿色材階調データに変換される。
【００２４】
画像処理装置２の下方には、カラー画像を構成する色に対応して、複数の画像形成ユニット１４が配設されている。本例では、黒（Ｋ）、イエロー（Ｙ）、マゼンタ（Ｍ）、シアン（Ｃ）の各色に対応して第１の画像形成ユニット１４Ｋ、第２の画像形成ユニット１４Ｙ、第３の画像形成ユニット１４Ｍ及び第４の画像形成ユニット１４Ｃが、中間転写ベルト１６に沿って一定の間隔を空けて水平に配列されている。
中間転写ベルト１６は、中間転写体として図中矢印Ａの方向に回動し、これら４つの画像形成ユニット１４Ｋ、１４Ｙ、１４Ｍ、１４Ｃは、画像処理装置２から入力された画像データに基づいて各色のトナー像を順次形成し、これら複数のトナー像が互いに重ね合わせられるタイミングで中間転写ベルト１６に転写（一次転写）する。
なお、各画像形成ユニット１４Ｋ、１４Ｙ、１４Ｍ、１４Ｃの色の順序は、黒（Ｋ）、イエロー（Ｙ）、マゼンタ（Ｍ）、シアン（Ｃ）の順に限定されるものではなく、イエロー（Ｙ）、マゼンタ（Ｍ）、シアン（Ｃ）、黒（Ｋ）の順序など、その順序は任意である。
【００２５】
用紙搬送路１８は、中間転写ベルト１６の下方に配設されている。用紙トレイ１７から供給された記録用紙（記録媒体）は、この用紙搬送路１８上を搬送され、上記中間転写ベルト１６上に多重に転写された各色のトナー像が一括して転写（二次転写）され、転写されたトナー像が定着器１９によって定着され、矢印Ｂに沿って外部に排出される。
なお、記録用紙の排出部に画像読取ユニット１２を設けることにより、使用者が排出された記録用紙を画像読取ユニット１２にセットすることなく、画像読取ユニット１２が、排出された記録用紙に形成された画像を読み取るようにしてもよい。
【００２６】
次に、画像形成装置１０の各構成についてより詳細に説明する。
図１に示すように、画像処理装置２は、通信装置１３を介して、コンピュータ端末から画像データを受信すると、受信した画像データに対して、色変換処理、濃度補正処理及びハーフトーン処理などを施して、画像形成ユニット１４に出力する。
また、画像処理装置２は、必要に応じて、キャリブレーションに用いるテスト画像（チャート）のデータを生成し、生成されたテスト画像データ（チャートデータ）を画像形成ユニット１４に出力する。
【００２７】
第１の画像形成ユニット１４Ｋ、第２の画像形成ユニット１４Ｙ、第３の画像形成ユニット１４Ｍ及び第４の画像形成ユニット１４Ｃは、水平方向に一定の間隔をおいて並列的に配置され、形成する画像の色が異なる他は、ほぼ同様に構成されている。そこで、以下、第１の画像形成ユニット１４Ｋについて説明する。なお、各画像形成ユニット１４の構成は、Ｋ、Ｙ、Ｍ又はＣを付すことにより区別する。
画像形成ユニット１４Ｋは、画像処理装置２から入力された画像データに応じてレーザ光を走査する光走査装置１４０Ｋと、この光走査装置１４０Ｋにより走査されたレーザ光により静電潜像が形成される像形成装置１５０Ｋとを有する。
【００２８】
光走査装置１４０Ｋは、半導体レーザ１４２Ｋを黒色（Ｋ）の画像データに応じて変調して、この半導体レーザ１４２Ｋからレーザ光ＬＢ（Ｋ）を画像データに応じて出射する。この半導体レーザ１４２Ｋから出射されたレーザ光ＬＢ（Ｋ）は、第１の反射ミラー１４３Ｋ及び第２の反射ミラー１４４Ｋを介して回転多面鏡１４６Ｋに照射され、この回転多面鏡１４６Ｋによって偏向走査され、第２の反射ミラー１４４Ｋ、第３の反射ミラー１４８Ｋ及び第４の反射ミラー１４９Ｋを介して、像形成装置１５０Ｋの感光体ドラム１５２Ｋ上に照射される。
像形成装置１５０Ｋは、矢印Ａの方向に沿って予め定められた回転速度で回転する像担持体としての感光体ドラム１５２Ｋと、この感光体ドラム１５２Ｋの表面を一様に帯電する帯電手段としての一次帯電用のスコロトロン１５４Ｋと、感光体ドラム１５２Ｋ上に形成された静電潜像を現像する現像器１５６Ｋと、クリーニング装置１５８Ｋとから構成されている。感光体ドラム１５２Ｋは、スコロトロン１５４Ｋにより一様に帯電され、光走査装置１４０Ｋにより照射されたレーザ光ＬＢ（Ｋ）により静電潜像を形成される。感光体ドラム１５２Ｋに形成された静電潜像は、現像器１５６Ｋにより黒色（Ｋ）のトナー（現像剤）で現像され、中間転写ベルト１６に転写される。なお、トナー像の転写工程の後に感光体ドラム１５２Ｋに付着している残留トナー及び紙粉等は、クリーニング装置１５８Ｋによって除去される。
他の画像形成ユニット１４Ｙ、１４Ｍ及び１４Ｃも、上記と同様に、イエロー（Ｙ）、マゼンタ（Ｍ）、シアン（Ｃ）の各色のトナー像を形成し、形成された各色のトナー像を中間転写ベルト１６に転写する。
【００２９】
中間転写ベルト１６は、ドライブロール１６４と、第１のアイドルロール１６５と、ステアリングロール１６６と、第２のアイドルロール１６７と、バックアップロール１６８と、第３のアイドルロール１６９との間に一定のテンションで掛け回されており、駆動モータ（不図示）によってドライブロール１６４が回転駆動されることにより、矢印Ａの方向に予め定められた速度で循環駆動される。この中間転写ベルト１６は、例えば、可撓性を有するポリイミド等の合成樹脂フィルムを帯状に形成し、この帯状に形成された合成樹脂フィルムの両端を溶着等によって接続することにより無端ベルト状に形成されたものである。
また、中間転写ベルト１６には、各画像形成ユニット１４Ｋ、１４Ｙ、１４Ｍ、１４Ｃに対向する位置にそれぞれ第１の一次転写ロール１６２Ｋ、第２の一次転写ロール１６２Ｙ、第３の一次転写ロール１６２Ｍ及び第４の一次転写ロール１６２Ｃが配設され、感光体ドラム１５２Ｋ、１５２Ｙ、１５２Ｍ、１５２Ｃ上に形成された各色のトナー像は、これらの一次転写ロール１６２により中間転写ベルト１６上に多重に転写される。なお、中間転写ベルト１６に付着した残留トナーは、二次転写位置の下流に設けられたベルト用クリーニング装置１８９のクリーニングブレード又はブラシにより除去される。
【００３０】
用紙搬送路１８には、用紙トレイ１７から記録用紙を取り出す給紙ローラ１８１と、用紙搬送用の第１のローラ対１８２及び第２のローラ対１８３と、記録用紙を既定のタイミングで二次転写位置に搬送するレジストロール１８４とが配設される。
また、用紙搬送路１８上の二次転写位置には、バックアップロール１６８に圧接する二次転写ロール１８５が配設されており、中間転写ベルト１６上に多重に転写された各色のトナー像は、この二次転写ロール１８５による圧接力及び静電気力で記録用紙上に二次転写される。各色のトナー像が転写された記録用紙は、第１の搬送ベルト１８６及び第２の搬送ベルト１８７によって定着器１９へと搬送される。
定着器１９は、上記各色のトナー像が転写された記録用紙に対して加熱処理及び加圧処理を施すことにより、トナーを記録用紙に溶融固着させる。
【００３１】
図２は、画像処理装置２のハードウェア構成を示す図である。
図２に示すように、画像処理装置２は、ＣＰＵ等の演算部２６２及びメモリ等の記憶部２６４などを含む制御装置２６０と、通信装置２７０と、記録装置２７２と、ユーザインターフェース装置（ＵＩ装置）２８０とから構成される。
つまり、画像処理装置２は、情報処理および他の処理装置又は端末との通信が可能なコンピュータとしてのハードウェア構成部分を有している。
また、以下の各図において、実質的に同じ構成部分および処理には同じ番号が付される。
ＵＩ装置２８０は、ＬＣＤ（Liquid Crystal Display）表示装置あるいはＣＲＴ（Cathode Ray Tube）表示装置等の表示装置およびキーボード・タッチパネルなどを含む。
【００３２】
次に、画像処理装置２にインストールされるプログラムを説明する。
図３は、画像処理装置２にインストールされ画像処理装置２により実行される目標値生成プログラム３０を示すブロック・ダイアグラムである。
また、図４は、キャリブレーションチャート（色補正用画像）を例示する図である。
【００３３】
目標値生成プログラム３０（及び以下に説明する他のプログラム）は、たとえば、記憶媒体等を介して画像処理装置２に供給され、記憶部２６４に記憶され、画像処理装置２にインストールされたＯＳ（図示せず）上で、画像処理装置２のハードウェア資源を具体的に利用して実行される。
また、本例では、プログラムの全機能構成がソフトウェアとして画像処理装置２にインストールされているが、これに限定されるものではなく、例えば、プログラムの一部がＡＳＩＣなどのハードウェアで実現されてもよい。
なお、画像処理装置２にインストールされるプログラムは、ＣＤ−ＲＯＭなどの記憶媒体に記録され、この記憶媒体を介して画像処理装置２にインストールされてもよいし、データ信号の形式で配信され、画像処理装置２にインストールされてもよい。
【００３４】
図３に示すように、目標値生成プログラム３０は、設定受付部３００、チャート情報記憶部３０２、単色チャートデータ生成部３１２、単色チャート印刷制御部３１４、単色チャート測色データ処理部３１６、単色目標値生成部３１８、単色目標値記憶部３２０、単色補正ＬＵＴ（ルックアップテーブル）生成部３３０、多次色チャートデータ生成部３４２、多次色チャート印刷制御部３４４、多次色チャート測色データ処理部３４６、多次色目標値生成部３４８、及び、多次色目標値記憶部３５０から構成される。
目標値生成プログラム３０は、以上の構成要素により、使用者からの２つの色の設定（例えばマゼンタ（Ｍ）及びイエロー（Ｙ））を受け付け、それら２つの色のトナー（現像剤）を用いて形成されたキャリブレーションチャートを生成する。
さらに、目標値生成プログラム３０は、用紙等の記録媒体に形成されたキャリブレーションチャートを測色して得られた測色データを用いて、色補正に用いる目標値を生成する。
【００３５】
設定受付部３００は、例えば使用者がＵＩ装置２８０を操作することによって、色補正を行うための設定を受け付け、受け付けた設定を、単色チャートデータ生成部３１２及び多次色チャートデータ生成部３４２に対して出力する。
具体的には、設定受付部３００は、イエロー（Ｙ）、マゼンタ（Ｍ）、シアン（Ｃ）、黒（Ｋ）から、色補正を行う２色を選択するための操作画面をＵＩ装置２８０に表示させ、使用者の選択した色を受け付ける。
さらに、設定受付部３００は、単色のみの色補正を行うか、多次色の色補正を行うかを選択するための操作画面をＵＩ装置２８０に表示させ、使用者がどちらを選択したかを受け付ける。
【００３６】
ここで、「単色」とは、選択された２色それぞれのみからなる色であり、例えばイエロー（Ｙ）及びマゼンタ（Ｍ）が選択された場合は、イエロー（Ｙ）のみからなる色、及びマゼンタ（Ｍ）のみからなる色をいい、イエロー（Ｙ）とマゼンタ（Ｍ）とを混合して表現される色（例えば赤色）を含まない。
一方、「多次色」とは、選択された２色を用紙に重ねる等によりこれら２色を混合して表現される色であり、例えばイエロー（Ｙ）及びマゼンタ（Ｍ）が選択された場合は、イエロー（Ｙ）とマゼンタ（Ｍ）とを混合して表現される色（例えば赤色）である。
なお、同じ比率でイエロー（Ｙ）とマゼンタ（Ｍ）とを混ぜた場合、単色の色補正がなされていても、画像形成ユニット１４等の経時的な影響及び湿気等に起因する日々の変動により、用紙に２色が重なるときに、形成された赤色が、イエロー（Ｙ）が強くなったり、マゼンタ（Ｍ）が強くなったりする可能性がある。
【００３７】
ここで、単色及び多次色について、図を用いて説明する。
図５は、単色及び多次色について説明するための図である。
図５には、横方向にイエロー（Ｙ）軸、縦方向にマゼンタ（Ｍ）軸、奥行方向にシアン（Ｃ）軸が形成されたＣＭＹ空間が表現されている。
例えば、イエロー（Ｙ）及びマゼンタ（Ｍ）が選択された場合、単色は、イエロー（Ｙ）軸及びマゼンタ（Ｍ）軸上の点として表現される。
一方、多次色は、イエロー（Ｙ）軸及びマゼンタ（Ｍ）軸からなる面Ａ上の色として表現され、例えばマゼンタ（Ｍ）とイエロー（Ｙ）との混合比率が同じ（Ｍ：Ｙ＝１：１）の色は、線Ｂ上の点として表現される。
このように、イエロー（Ｙ）及びマゼンタ（Ｍ）が選択された場合、多次色はイエロー（Ｙ）軸及びマゼンタ（Ｍ）軸からなる面Ａ上の色として表現されるので、後述する多次色の色補正において、シアン（Ｃ）が混合されない。
【００３８】
チャート情報記憶部３０２（図３）は、図４に例示したキャリブレーションチャートを印刷するための情報を記憶する。
図４（Ａ）は、シアン（Ｃ）、マゼンタ（Ｍ）、イエロー（Ｙ）、黒（Ｋ）から構成されるキャリブレーションチャートを例示する。
シアン（Ｃ）、マゼンタ（Ｍ）、イエロー（Ｙ）、黒（Ｋ）のキャリブレーションチャートは、それぞれ、複数のカバレッジからなる複数（２１個）のパッチ（色見本）から構成される。
ここで、カバレッジとは、例えば網点面積率又は網点階調のことであって、ハーフトーン処理の際に、印刷対象の画像データにおいて濃度が濃い箇所についてはカバレッジを高くし、濃度が薄い箇所についてはカバレッジを低くして、記録媒体に画像が形成される。
図４の例では、左から右へカバレッジが高くなるようになっており、最も左のパッチのカバレッジ（Ｃｉｎ）は０％であり、最も右のパッチのカバレッジ（Ｃｉｎ）は１００％である。
【００３９】
単色チャートデータ生成部３１２は、チャート情報記憶部３０２に記憶された情報から、設定された２色からなる単色のキャリブレーションチャート（単色チャート）を用紙に形成するためのデータ（単色チャートデータ）を生成し、単色チャート印刷制御部３１４に対して出力する。
例えば、マゼンタ（Ｍ）及びイエロー（Ｙ）が設定された場合、図４（Ｂ）に例示するような、マゼンタ（Ｍ）及びイエロー（Ｙ）からなる単色チャートを形成するための単色チャートデータを生成する。
【００４０】
単色チャート印刷制御部３１４は、画像形成ユニット１４を制御して、単色チャートを用紙に印刷するための処理を行う。
単色チャート測色データ処理部３１６は、用紙に形成された単色チャートを画像読取ユニット１２が読み取ることによって得られた測色データ（単色チャート測色データ）を受け付ける。
さらに、単色チャート測色データ処理部３１６は、ＲＢＧ表色系の単色チャート測色データを、Ｌａｂ（又はＬ＊ａ＊ｂ＊）表色系の測色データに変換し、単色目標値生成部３１８及び単色補正ＬＵＴ生成部３１８に対して出力する。
なお、単色チャート測色データ処理部３１６（及び後述する多次色チャート測色データ処理部３４６等）は、測色計等により得られたＬａｂ（又はＬ＊ａ＊ｂ＊）表色系の測色データを取得するようにしてもよく、この場合、単色チャート測色データ処理部３１６は、ＲＢＧ表色系の単色チャート測色データをＬａｂ（又はＬ＊ａ＊ｂ＊）表色系の測色データに変換する必要はない。または、測色計から分光データを取得し、画像処理装置内で分光からＬａｂを算出して取得するようにしてもよい。
【００４１】
単色目標値生成部３１８は、測色データから、単色のキャリブレーションで用いる目標値（単色目標値）を生成し、単色目標値記憶部３２０に記憶する。
具体的には、単色目標値生成部３１８は、設定された２色それぞれについて、紙白部（Ｃｉｎ＝０％）とベタパッチ（Ｃｉｎ＝１００％）との色差ΔＥ（ΔＥ（１００％））を、以下の式（１）を用いて計算する。
（１）ΔＥ＝√（（Ｌ［０％］−Ｌ［１００％］）２＋（ａ［０％］−ａ［１００％］）２＋（ｂ［０％］−ｂ［１００％］）２）
ここで、Ｌ［ｘ％］は、Ｃｉｎ＝ｘ％のパッチにおけるＬの値であり、ａ［ｘ％］は、Ｃｉｎ＝ｘ％のパッチにおけるａの値であり、ｂ［ｘ％］は、Ｃｉｎ＝ｘ％のパッチにおけるｂの値である。
また、単色目標値生成部３１８は、横軸をカバレッジ、縦軸を色差ΔＥとしたグラフにおいて、計算したΔＥ（１００％）をプロットし、プロットした点と原点とを直線で結ぶ。
さらに、単色目標値生成部３１８は、直線上の点の、各カバレッジにおける色差ΔＥの値を、単色目標値とする。
【００４２】
図６は、単色目標値を説明するための図である。
マゼンタ（Ｍ）及びイエロー（Ｙ）が設定された場合、単色目標値生成部３１８は、マゼンタ（Ｍ）及びイエロー（Ｙ）それぞれについて、ΔＥ（１００％）を計算する。
さらに、図６（Ａ）に例示するように、Ｃｉｎ＝１００％の位置にΔＥ（１００％）をプロットし、原点と直線で結ぶ。
そして、単色目標値生成部３１８は、単色チャートを構成する各パッチのカバレッジにおける、直線上の点の色差ΔＥの値を、単色目標値とする。
【００４３】
なお、単色目標値を上記のように生成せず、各カバレッジにおける単色チャート測色データ値を、それぞれのカバレッジにおける単色目標値とした場合、図６（Ｂ）に例示するように、各カバレッジにおける単色目標値を示すカーブが描かれる。
ここで、マゼンタ（Ｍ）及びイエロー（Ｙ）の２色を等量（同じ比率）で混ぜる場合を仮定する。
マゼンタ（Ｍ）及びイエロー（Ｙ）のカバレッジをそれぞれＣｉｎ＝３０％とした場合、単色目標値は、マゼンタ（Ｍ）の方がイエロー（Ｙ）よりも大きい。
【００４４】
一方、マゼンタ（Ｍ）及びイエロー（Ｙ）のカバレッジをそれぞれＣｉｎ＝７０％とした場合、単色目標値は、マゼンタ（Ｍ）の方がイエロー（Ｙ）よりも小さい。
つまり、マゼンタ（Ｍ）及びイエロー（Ｙ）の２色を等量で混ぜる場合であっても、あるカバレッジではマゼンタ（Ｍ）が強くなり、あるカバレッジではイエロー（Ｙ）が強くなるといったように、階調（グラデーション）が色転びする。
しかしながら、図６（Ａ）のように、原点とΔＥ（１００％）の点とを結んだ直線上の値を単色目標値とした場合、このような色転びは発生しない。
【００４５】
単色補正ＬＵＴ生成部３３０（図３）は、単色チャート測色データ処理部３１６からの単色チャート測色データと、単色目標値記憶部３２０に記憶された単色目標値とから、単色の補正ＬＵＴ（キャリブレーションカーブ）を生成する。
なお、本実施形態では、単色目標値の生成に用いた単色チャート測色データを、単色の補正ＬＵＴ（単色補正ＬＵＴ）の生成に用いるとしたが、単色目標値の生成に用いた単色チャート測色データとは別に、再度、単色チャートを印刷して印刷された単色チャートを測色することによって得られた単色チャート測色データを、単色補正ＬＵＴの生成に用いるとしてもよい。
【００４６】
具体的には、単色補正ＬＵＴ生成部３３０は、単色チャート測色データから、各カバレッジにおける紙白との色差ΔＥを算出する。
また、単色補正ＬＵＴ生成部３３０は、単色目標値記憶部３２０に記憶された単色目標値から、補正対象のカバレッジ（カバレッジ＃１）における単色目標値（ΔＥの値）を求める。
また、単色補正ＬＵＴ生成部３３０は、各カバレッジにおける単色目標値（ΔＥの値）に対応するΔＥの値を持つカバレッジ（カバレッジ＃２）を求める。
なお、対応するΔＥの値を持つカバレッジ（カバレッジ＃２）がない場合、例えば線形補間をすることによって、対応するΔＥの値を持つカバレッジ＃２を求める。
そして、単色補正ＬＵＴ生成部３３０は、カバレッジ＃１におけるカバレッジを、カバレッジ＃２と補正する。
【００４７】
図７は、補正ＬＵＴを生成する方法を説明するための図である。
図７を用いて、Ｃｉｎ＝５０％のカバレッジ＃１を補正対象とする場合を説明する。
カバレッジがＣｉｎ＝５０％では、ΔＥ＝ΔＥ１である。
単色補正ＬＵＴ生成部３３０は、算出された各カバレッジにおける紙白との色差ΔＥから、ΔＥ＝ΔＥ１となるカバレッジ＃２（Ｃｉｎ＝６０％）を求める。
そして、単色補正ＬＵＴ生成部３３０は、Ｃｉｎ＝５０％のカバレッジを、６０％に補正するような、補正ＬＵＴを生成する。
【００４８】
多次色チャートデータ生成部３４２（図３）は、設定受付部３００において多次色の色補正を行うことが選択された場合、チャート情報記憶部３０２に記憶された情報から、設定された２色からなる多次色のキャリブレーションチャート（多次色チャート）を用紙に形成するためのデータ（多次色チャートデータ）を生成し、多次色チャート印刷制御部３４４に対して出力する。
その際、多次色チャートデータ生成部３４２は、単色補正ＬＵＴ生成部３３０で生成された単色補正ＬＵＴを使用して色補正を行った上で、多次色チャートデータを生成する。
【００４９】
例えば、マゼンタ（Ｍ）及びイエロー（Ｙ）が設定された場合、図４（Ｃ）に例示するような、マゼンタ（Ｍ）及びイエロー（Ｙ）からなる単色のキャリブレーションチャートと、マゼンタ（Ｍ）及びイエロー（Ｙ）を等量（１：１）で混合した色（赤色）のキャリブレーションチャートと、マゼンタ（Ｍ）及びイエロー（Ｙ）を３：１で混合した色のキャリブレーションチャートと、マゼンタ（Ｍ）及びイエロー（Ｙ）を１：３で混合した色のキャリブレーションチャートとからなる多次色チャートを形成するための多次色チャートデータを生成する。
ここで、例えばマゼンタ（Ｍ）及びイエロー（Ｙ）を等量（１：１）で混合した色（赤色）のキャリブレーションチャートを生成する場合、多次色チャートデータ生成部３４２は、マゼンタ（Ｍ）及びイエロー（Ｙ）をそれぞれＣｉｎ＝１０％で混合するパッチにおいては、色補正されたカバレッジ（例えばマゼンタ（Ｍ）はＣｉｎ＝１２％、イエロー（Ｙ）はＣｉｎ＝１５％）でパッチを生成する。
【００５０】
なお、マゼンタ（Ｍ）及びイエロー（Ｙ）からなる単色のキャリブレーションチャートは、形成されなくてもよい。
また、２色が混合された多次色チャートは、混合比率を一定とするのではなく、どちらか一方の色のカバレッジを一定としてもよく、例えば、マゼンタ（Ｍ）を５０％とし、イエロー（Ｙ）を０％〜１００％とするようにしたパッチを形成されるようにしてもよい。
あるいは、２色が混合された多次色チャートは、図５の面Ａ上の複数の点で表現される色からなる複数のパッチを、ランダムに形成するようにしてもよい。
【００５１】
多次色チャート印刷制御部３４４は、画像形成ユニット１４を制御して、多次色チャートを用紙に印刷するための処理を行う。
多次色チャート測色データ処理部３４６は、用紙に形成された多次色チャートを画像読取ユニット１２が読み取ることによって得られた測色データ（多次色チャート測色データ）を受け付ける。
さらに、多次色チャート測色データ処理部３４６は、ＲＢＧ表色系の多次色チャート測色データを、Ｌａｂ（又はＬ＊ａ＊ｂ＊）表色系の測色データに変換し、多次色目標値生成部３４８に対して出力する。
【００５２】
多次色目標値生成部３４８は、測色データから、多次色のキャリブレーションで用いる目標値（多次色目標値）を生成し、多次色目標値記憶部３５０に記憶する。
具体的には、多次色目標値生成部３４８は、各パッチにおける、紙白部（Ｃｉｎ＝０％）との色差ΔＥを計算する。
また、多次色目標値生成部３４８は、例えば、Ｘ軸，Ｙ軸，Ｚ軸からなる３次元のグラフであって、Ｘ軸をイエロー（Ｙ）のカバレッジ（％）、Ｙ軸をマゼンタ（Ｍ）のカバレッジ（％）、Ｚ軸を色差ΔＥとしたグラフにおいて、各パッチ（カバレッジ）におけるΔＥをプロットし、各カバレッジにおける色差ΔＥの値を、多次色目標値とする。
または、多次色目標値としてＺ軸をＬａｂ値として、各パッチ（カバレッジ）における測色Ｌａｂ値をプロットし、多次色目標値とする。
【００５３】
以上のようにして、単色目標値及び多次色目標値が生成される。
なお、予め、単色目標値及び多次色目標値が画像形成装置１０の製造者等により提供され、それぞれ単色目標値記憶部３２０及び多次色目標値記憶部３５０に記憶されている場合は、上記の目標値生成処理を行う必要はない。
【００５４】
図８は、画像処理装置２にインストールされ画像処理装置２により実行される画像処理プログラム４０を示すブロック・ダイアグラムである。
図８に示すように、画像処理プログラム４０は、単色補正開始制御部４００、チャート情報記憶部４０２、単色チャートデータ生成部４１２、単色チャート印刷制御部４１４、単色チャート測色データ処理部４１６、単色補正ＬＵＴ生成部４２０、多次色チャートデータ生成部４３２、多次色チャート印刷制御部４３４、多次色補正開始制御部４４０、多次色チャート測色データ処理部４４６、多次色補正ＬＵＴ生成部４５０、画像データ受付部４７０、色変換部４７２、色補正処理部４７４、及び、印刷制御部４８０から構成される。
【００５５】
画像処理プログラム４０は、以上の構成要素により、使用者からの２つの色の設定（例えばマゼンタ（Ｍ）及びイエロー（Ｙ））を受け付け、それら２つの色のトナーを用いて形成されたキャリブレーションチャートを生成する。
さらに、画像処理プログラム４０は、用紙等の記録媒体に形成されたキャリブレーションチャートを測色して得られた測色データと、目標値とから、色補正値（ＬＵＴ）を生成する。
【００５６】
単色補正開始制御部４００は、例えば使用者がＵＩ装置２８０を操作することによって、２つのトナー色（例えばマゼンタ（Ｍ）及びイエロー（Ｙ））について単色の色補正を開始することを示す命令を受け付け、単色チャートデータ生成部４１２、単色チャート印刷制御部４１４、単色チャート測色データ処理部４１６、単色補正ＬＵＴ生成部４２０、多次色チャートデータ生成部４３２及び多次色チャート印刷制御部４３４を制御する。
【００５７】
単色チャートデータ生成部４１２は、単色チャートデータ生成部３１２と同様に、チャート情報記憶部４０２に記憶された例えば図４（Ｂ）に例示した単色チャートを用紙に形成するための単色チャートデータを生成し、単色チャート印刷制御部４１４に対して出力する。
単色チャート印刷制御部４１４は、画像形成ユニット１４を制御して、単色チャートを用紙に印刷するための処理を行う。
単色チャート測色データ処理部４１６は、単色チャート測色データ処理部３１６と同様に、用紙に形成された単色チャートを画像読取ユニット１２が読み取ることによって得られた単色チャート測色データを受け付ける。
【００５８】
単色チャート測色データ処理部４１６は、単色チャート測色データ処理部３１６と同様に、用紙に形成された単色チャートを画像読取ユニット１２が読み取ることによって得られた単色チャート測色データを受け付け、ＲＢＧ表色系の単色チャート測色データを、Ｌａｂ（又はＬ＊ａ＊ｂ＊）表色系の測色データに変換し、単色補正ＬＵＴ生成部４２０に対して出力する。
単色補正ＬＵＴ生成部４２０は、単色補正ＬＵＴ生成部３３０と同様に、単色チャート測色データ処理部４１６からの単色チャート測色データと、単色目標値記憶部３２０に記憶された単色目標値とから、単色の補正ＬＵＴ（キャリブレーションカーブ）を生成する。
【００５９】
多次色チャートデータ生成部４３２は、チャート情報記憶部４０２に記憶された例えば図４（Ｃ）に例示した多次色チャートを用紙に形成するための多次色チャートデータを生成し、多次色チャート印刷制御部４３４に対して出力する。
その際、多次色チャートデータ生成部４３２は、単色補正ＬＵＴ生成部４２０で生成された単色補正ＬＵＴを使用して色補正を行った上で、多次色チャートデータを生成する。
多次色チャート印刷制御部４３４は、多次色チャート印刷制御部３４４と同様に、画像形成ユニット１４を制御して、多次色チャートを用紙に印刷するための処理を行う。
【００６０】
使用者は、印刷された多次色チャートを目視して、単色のパッチ（図４（Ｃ）の「Ｍ」及び「Ｙ」）だけでなく多次色のパッチ（図４（Ｃ）の「Ｍ：Ｙ＝１：１」、「Ｍ：Ｙ＝３：１」及び「Ｍ：Ｙ＝１：３」）も、色補正されているか（つまり階調が滑らかであるか）を判断する。
そして、使用者によって多次色のパッチについては色補正されていないと判断された場合、多次色補正開始制御部４４０は、例えば使用者がＵＩ装置２８０を操作することによって、２つのトナー色（例えばマゼンタ（Ｍ）及びイエロー（Ｙ））について多次色の色補正を開始することを示す命令を受け付け、多次色チャート測色データ処理部４４６及び多次色補正ＬＵＴ生成部４５０を制御する。
一方、使用者によって多次色のパッチについても色補正されていると判断された場合、多次色の色補正を行わなくてもよい。
【００６１】
多次色チャート測色データ処理部４４６は、多次色チャート測色データ処理部３４６と同様に、用紙に形成された多次色チャートを画像読取ユニット１２が読み取ることによって得られた多次色チャート測色データを受け付け、ＲＢＧ表色系の多次色チャート測色データを、Ｌａｂ（又はＬ＊ａ＊ｂ＊）表色系の測色データに変換し、多次色補正ＬＵＴ４５０に対して出力する。
多次色補正ＬＵＴ生成部４５０は、上述した単色補正ＬＵＴ生成部３３０と同様の処理を行って、多次色チャート測色データ処理部４４６からの多次色チャート測色データと、多次色目標値記憶部３５０に記憶された多次色目標値とから、多次色の補正ＬＵＴ（キャリブレーションカーブ）を生成する。
具体的には、多次色補正ＬＵＴ生成部４５０は、多次色チャート測色データから各カバレッジにおける紙白との色差ΔＥを算出し、多次色目標値と比較して、各カバレッジに対応する補正後のカバレッジを求める。
または、各カバレッジにおける測色Ｌａｂと多次色目標Ｌａｂ値を比較して、各カバレッジに対応する補正後のカバレッジを求める。
なお、単色チャートデータ生成部４１２及び多次色チャートデータ生成部４３２は、単色補正ＬＵＴ生成部４２０及び多次色補正ＬＵＴ生成部４５０によって補正ＬＵＴが生成されている場合は、補正ＬＵＴを用いて色補正が実施されたチャートデータを生成するようにしてもよい。
【００６２】
画像データ受付部４７０は、コンピュータ端末等から、画像データを受け付ける。
色変換部４７２は、受け付けた画像データの赤（Ｒ）、緑（Ｇ）、青（Ｂ）で示された画素値を、変換テーブル（色変換プロファイル）を用いて、ＣＭＹＫそれぞれの濃度値（階調値）に変換する。
色補正処理部４７４は、変換された濃度値を入力濃度値として、単色補正ＬＵＴ生成部４２０（及び、多次色の色補正を行った場合は多次色補正ＬＵＴ生成部４５０）によって生成された補正ＬＵＴから、適宜、線形補間等を行って、出力濃度値を算出する。
印刷制御部４８０は、算出された出力濃度値に対してハーフトーン処理を行い、さらに、濃度補正され、ハーフトーン処理を施された画像データを記録媒体に印刷するように、画像形成ユニット１４を制御する。
【００６３】
［変形例］
なお、上述した実施形態において、使用者が、補正ＬＵＴを例えば手動で調整することによって、使用者が所望する階調で出力するようにしてもよい。
このとき、使用者が補正ＬＵＴを、例えば２色の濃度を１０％から１５％に手動で調整した場合であっても、図６を用いて上述したように、２色混合印刷の際に色転びが発生することが、抑制される。
また、上述した実施形態においては、画像形成装置１に内蔵された画像処理装置２が目標値生成プログラム３０及び画像処理プログラム４０を実行するとしたが、画像形成装置とネットワークを介して接続された画像処理装置が、目標値生成プログラム３０及び画像処理プログラム４０を実行するとしてもよい。
【００６４】
図９は、画像処理システム１００を示す図である。
画像形成装置１０Ａ、画像読取装置１２Ａ、コンピュータ端末１０２及び画像処理装置２Ａは、ネットワークを介して接続されている。
画像形成装置１０Ａは、図１に示した画像形成装置１０の画像形成ユニット１４と実質的に同様の構成を有している。
画像読取装置１２Ａは、図１に示した画像読取ユニット１２と実質的に同様の構成を有している。なお、画像読取装置１２Ａは、例えば、画像形成装置１０Ａの内部に取り付けられたインラインセンサー、又は、外部測色器等を含んでもよい。
コンピュータ端末１０２は、画像データを画像処理装置２Ａに送信する。
【００６５】
画像処理装置２Ａは、例えばプリントサーバであって、図１に示した画像処理装置２と実質的に同様の構成を有している。
また、画像処理装置２Ａは、図３に示した目標値生成プログラム３０及び図８に示した画像処理プログラム４０を実行する。
画像処理装置２Ａは、コンピュータ端末１０２から受信した画像データに対して必要な処理を施して、画像形成装置１０Ａに対して送信する。
画像形成装置１０Ａは、画像処理装置２Ａから受信した画像データを記録媒体に形成する。
画像処理装置２Ａは、単色チャート及び多次色チャートを、画像形成装置１０Ａに形成させ、形成された単色チャート及び多次色チャートを画像読取装置１２Ａが読み取って、得られた読取データを画像処理装置２Ａに送信して、画像処理装置２Ａがその読取データを処理するようにしてもよい。
【符号の説明】
【００６６】
１０・・・画像形成装置，
２・・・画像処理装置，
３０・・・目標値生成プログラム，
３００・・・設定受付部，
３０２・・・チャート情報記憶部，
３１２・・・単色チャートデータ生成部，
３１４・・・単色チャート印刷制御部，
３１６・・・単色チャート測色データ処理部，
３１８・・・単色目標値生成部，
３２０・・・単色目標値記憶部，
３３０・・・単色補正ＬＵＴ生成部，
３４２・・・多次色チャートデータ生成部，
３４４・・・多次色チャート印刷制御部，
３４６・・・多次色チャート測色データ処理部，
３４８・・・多次色目標値生成部，
３５０・・・多次色目標値記憶部，
４０・・・画像処理プログラム，
４００・・・単色補正開始制御部，
４０２・・・チャート情報記憶部，
４１２・・・単色チャートデータ生成部，
４１４・・・単色チャート印刷制御部，
４１６・・・単色チャート測色データ処理部，
４２０・・・単色補正ＬＵＴ生成部，
４３２・・・多次色チャートデータ生成部，
４３４・・・多次色チャート印刷制御部，
４４０・・・多次色補正開始制御部，
４４６・・・多次色チャート測色データ処理部，
４５０・・・多次色補正ＬＵＴ生成部，
４７０・・・画像データ受付部，
４７２・・・色変換部，
４７４・・・色補正処理部，
４８０・・・印刷制御部，
【図１】
2014116721.tif 000003
【図２】
2014116721.tif 000004
【図３】
2014116721.tif 000005
【図４】
2014116721.tif 000006
【図５】
2014116721.tif 000007
【図６】
2014116721.tif 000008
【図７】
2014116721.tif 000009
【図８】
2014116721.tif 000010
【図９】
2014116721.tif 000011